(57)【要約】      （修正有）【課題】運動を利用して発電できる廊下省エネルギー指示灯を提供する。【解決手段】廊下省エネルギー指示灯において、階段に固定されることができるベース１８と、壁に固定されることができるランプベース１１とを含む。当該設備は、構成が簡単であり、操作しやすく、メンテナンスが便利であり、人が階段を上り下りする時に、階段を踏む動作を利用して電力を生じるため、廊下内に回路を敷く必要がなく、廊下内のエネルギーを消費する必要がない。【効果】当該設備は、場合により正常と緊急の照明モードを切り換えることができ、廊下内の応急灯の設置コストを下げ、且つ、廊下内の照明効果を向上させることができ、当該設備は高い使用価値と普及する価値を有する。【選択図】図１
2020205226.tif 000002
【特許請求の範囲】
【請求項１】
正面視で、階段に固定されることができるベースと、壁に固定されることができるランプベースとを含み、前記ベースの中にはスライド溝が設置され、前記スライド溝の中には上下へスライドできるペダルが設置され、前記ペダルと前記スライド溝との間には押圧バネが弾性を持つように設置され、前記スライド溝の左右両側の内壁の中には前記スライド溝と連通された発電動力チャンバが対称的に設置され、前記発電動力チャンバの上下両側の内壁の中には転向チャンバが対称的に設置され、頂部の前記転向チャンバの後壁の中には発電チャンバが設置され、前記発電チャンバの中には発電機構が設置され、前記発電動力チャンバの中には前記発電機構の回転方向を保持できる転向装置が設置され、更に人が階段を上り下りする運動により電力を生じ、前記ランプベースの中にはスライドチャンバが設置され、前記スライドチャンバの中にはスライドできるランプが設置され、前記ランプの中には回転できるランプ板が設置され、前記ランプ板の底端には正常照明できる照明灯が設置され、前記ランプ板の頂端には応急照明できる応急灯が設置され、前記スライドチャンバの左右両側の内壁の中には対称的な屈折チャンバが設置され、前記屈折チャンバの中には屈折装置が設置され、更に照明範囲を広げることができ、右側の前記屈折チャンバのうち前記スライドチャンバに近接している側の壁内には切換チャンバが設置され、前記切換チャンバの中には当該設備の照明状態を切り換えることができる切換装置が設置され、更に当該設備の作動状態を制御し、前記スライドチャンバの中には前記ランプを収納できる収納装置が設置され、前記スライドチャンバの頂壁の中には動力チャンバが設置され、前記動力チャンバの中には駆動装置が設置され、更に廊下に照明を提供でき、前記ベースと前記ペダルの外壁にはフロアーランプが設置されたことを特徴とする運動を利用して発電できる廊下省エネルギー指示灯。
【請求項２】
前記転向装置は前記発電動力チャンバの中に設置された駆動軸を含み、前記ペダルの左右両側の端壁にはラックが対称的に設置され、前記駆動軸の後端には前記ラックと噛み合っている駆動ギヤが設置され、前記駆動軸の前端には駆動ベベルギヤが設置され、前記発電動力チャンバの中には上下対称の転向軸が設置され、前記転向軸のうち前記発電動力チャンバに近接している一端には前記駆動ベベルギヤと噛み合っている転向ベベルギヤが設置され、更に前記転向軸を連動させて回転させることができ、前記転向軸のうち前記発電動力チャンバから離れている一端には前記転向チャンバの中に位置している転向ギヤが設置され、前記転向チャンバの中には縦方向軸が設置され、前記縦方向軸の外壁には前記転向チャンバの中に位置しており、且つ前記転向ギヤと噛み合っている片方向ギヤが設置され、前記縦方向軸の頂端には前記発電機構を連動させて回転させることができる同方向ベベルギヤが設置され、上下両端の前記片方向ギヤの回転できる方向は逆でることを特徴とする請求項１に記載の運動を利用して発電できる廊下省エネルギー指示灯。
【請求項３】
前記発電機構は前記転向チャンバの中に設置された横向き軸を含み、前記横向き軸の前端には前記同方向ベベルギヤと噛み合っている発電ベベルギヤが設置され、更に前記横向き軸を連動させて回転させることができ、前記横向き軸の後端にはリングギヤが設置され、前記転向チャンバの中には発電軸が設置され、前記発電軸の前端には太陽ギヤが設置され、前記太陽ギヤと前記リングギヤとの間には遊星ギヤが伝動できるように設置され、更に前記発電軸を連動させて高速回転させることができ、前記発電軸の後端には前記発電チャンバの中に位置している口型永久磁石が設置され、前記発電チャンバの中にはコイルが設置され、前記発電チャンバの底壁の中には電気エネルギーを貯蔵できる電池が設置されたことを特徴とする請求項１に記載の運動を利用して発電できる廊下省エネルギー指示灯。
【請求項４】
前記駆動装置は前記動力チャンバの中に設置された原動機を含み、前記動力チャンバの中には前記原動機と動力が伝達できるように連結された動力軸が設置され、前記動力軸の頂端には動力ギヤが設置され、前記動力チャンバの中には伝動軸が設置され、前記伝動軸の外壁には前記動力チャンバの中に位置しており、且つ前記動力ギヤと噛み合っている伝動ギヤが設置され、更に前記伝動軸を連動させて回転させることができ、前記伝動軸の頂端には前記屈折装置を連動させて回転させることができる伝動ベベルギヤが設置され、前記伝動軸の外壁には前記切換装置を連動させて回転させることができる主動プーリが設置され、前記伝動軸の外壁には前記スライドチャンバの中に位置しており、且つ前記収納装置を連動させて回転させることができるウォームが設置されたことを特徴とする請求項１に記載の運動を利用して発電できる廊下省エネルギー指示灯。
【請求項５】
前記収納装置は前記スライドチャンバの中に左右対称的に設置された延伸軸を含み、前記延伸軸の後端には前記ウォームと噛み合っているウォームホイールが設置され、更に前記延伸軸を連動させて回転させることができ、前記延伸軸の前端には主動ベベルギヤが設置され、前記スライドチャンバの中にはカム軸が左右対称的に設置され、前記カム軸のうち前記伝動軸に近接している一端には前記主動ベベルギヤと噛み合っている従動ベベルギヤが設置され、前記カム軸のうち前記伝動軸から離れている一端には前記ランプと接触して協働することができるカムが設置され、更に前記主動ベベルギヤは前記カム軸と前記カムとにより前記ランプを連動させて下方へスライドさせることができ、前記ランプと前記スライドチャンバの頂壁との間には復帰バネが弾性を持つように設置されたことを特徴とする請求項１に記載の運動を利用して発電できる廊下省エネルギー指示灯。
【請求項６】
前記屈折装置は前記従動ベベルギヤに回転できるように設置された反射板を含み、左右両側の前記反射板が協働して前記スライドチャンバを閉鎖でき、前記屈折チャンバの中にはネジロッドが設置され、前記ネジロッドの外壁にはスライドできるスライダが設置され、前記スライダと前記ネジロッドとの間はネジ山により連結され、前記スライダと前記反射板との間はコンロッドを通じてヒンジにより連結され、更に前記反射板を連動させて回転させることができ、前記動力チャンバの中には左右対称の反射軸が設置され、前記反射軸のうち前記動力チャンバに近接している一端には前記動力チャンバの中に位置しており、且つ前記伝動ベベルギヤと噛み合っている屈折ベベルギヤが設置され、前記反射軸と前記ネジロッドとの間は伝動ベルトにより動力伝送を行うことを特徴とする請求項１に記載の運動を利用して発電できる廊下省エネルギー指示灯。
【請求項７】
前記切換装置は前記動力チャンバの中に設置された伝送軸を含み、前記伝送軸の頂端には前記動力チャンバの中に位置している従動プーリが設置され、前記従動プーリと前記主動プーリとの間には伝送ベルトが伝動できるように設置され、更に前記伝送軸を連動させて回転させることができ、前記切換チャンバの中には従動軸が設置され、前記従動軸の左端が前記ランプ板と固定的に連結され、前記従動軸の右端には前記切換チャンバの中に位置している切換ベベルギヤが設置され、更に前記ランプ板を連動させて回転させることができ、更に当該設備の照明状態を切り換え、前記切換チャンバの中にはスライドできるスプライン軸が設置され、前記スプライン軸と前記伝送軸との間はスプラインにより連結され、前記スプライン軸の底端には前記切換ベベルギヤと噛み合うことができる回転ベベルギヤが設置され、更に前記切換ベベルギヤを連動させて回転させることができ、前記スプライン軸の外壁には回転できる回転ブロックが設置され、前記切換チャンバの頂壁の中には電磁溝が設置され、前記電磁溝の中には前記回転ブロックと固定的に連結された永久磁石がスライドできるように設置され、前記電磁溝の頂壁の中には前記永久磁石を連動させて上下へスライドさせることができる電磁石が設置され、前記電磁石と前記永久磁石との間には電磁バネが弾性を持つように設置されたことを特徴とする請求項１に記載の運動を利用して発電できる廊下省エネルギー指示灯。
【発明の詳細な説明】
【技術分野】
【０００１】
本発明は省エネルギー照明分野を取り上げて、具体的には運動を利用して発電できる廊下省エネルギー指示灯である。
【背景技術】
【０００２】
廊下指示灯が廊下に装着された照明灯具であり、廊下に照明を提供でき、しかし、現有の廊下指示灯は照明時間を制御することだけによりエネルギー消費を減らし、また依然として廊下の電力により支持される必要があり、しかも廊下指示灯を装着する時、照明回路を単独に設置する必要があり、設置過程が複雑であり、設置コストが比較的に高く、また、従来の廊下指示灯は機能が単一であり、緊急事態が起こる時、独立した廊下指示灯を装着して照明する必要があり、且つ照明効果が悪く、そのため、本発明は回路を単独に設置する必要がない廊下省エネルギー指示灯を設計することを目的とする。
【先行技術文献】
【特許文献】
【０００３】
【特許文献１】中国特許出願公開第１０２６００５７５号明細書
【発明の概要】
【発明が解決しようとする課題】
【０００４】
技術問題：
従来の廊下指示灯は正常状況と緊急状況では、二つの回路を単独に設置する必要があり、設置コストが比較的に高く、且つ照明過程において、廊下の電力により支持される必要があり、エネルギー消費が高い。
【課題を解決するための手段】
【０００５】
上記の問題を解決するために、本発明は運動を利用して発電できる廊下省エネルギー指示灯を設計し、本発明の運動を利用して発電できる廊下省エネルギー指示灯は、階段に固定されることができるベースと、壁に固定されることができるランプベースとを含み、前記ベースの中にはスライド溝が設置され、前記スライド溝の中には上下へスライドできるペダルが設置され、前記ペダルと前記スライド溝との間には押圧バネが弾性を持つように設置され、前記スライド溝の左右両側の内壁の中には前記スライド溝と連通された発電動力チャンバが対称的に設置され、前記発電動力チャンバの上下両側の内壁の中には転向チャンバが対称的に設置され、頂部の前記転向チャンバの後壁の中には発電チャンバが設置され、前記発電チャンバの中には発電機構が設置され、前記発電動力チャンバの中には前記発電機構の回転方向を保持できる転向装置が設置され、更に人が階段を上り下りする運動により電力を生じ、前記ランプベースの中にはスライドチャンバが設置され、前記スライドチャンバの中にはスライドできるランプが設置され、前記ランプの中には回転できるランプ板が設置され、前記ランプ板の底端には正常照明できる照明灯が設置され、前記ランプ板の頂端には応急照明できる応急灯が設置され、前記スライドチャンバの左右両側の内壁の中には対称的な屈折チャンバが設置され、前記屈折チャンバの中には屈折装置が設置され、更に照明範囲を広げることができ、右側の前記屈折チャンバのうち前記スライドチャンバに近接している側の壁内には切換チャンバが設置され、前記切換チャンバの中には当該設備の照明状態を切り換えることができる切換装置が設置され、更に当該設備の作動状態を制御し、前記スライドチャンバの中には前記ランプを収納できる収納装置が設置され、前記スライドチャンバの頂壁の中には動力チャンバが設置され、前記動力チャンバの中には駆動装置が設置され、更に廊下に照明を提供でき、前記ベースと前記ペダルの外壁にはフロアーランプが設置され、フロアー案内に用いられる。
【０００６】
好ましくは、前記転向装置は前記発電動力チャンバの中に設置された駆動軸を含み、前記ペダルの左右両側の端壁にはラックが対称的に設置され、前記駆動軸の後端には前記ラックと噛み合っている駆動ギヤが設置され、前記駆動軸の前端には駆動ベベルギヤが設置され、前記発電動力チャンバの中には上下対称の転向軸が設置され、前記転向軸のうち前記発電動力チャンバに近接している一端には前記駆動ベベルギヤと噛み合っている転向ベベルギヤが設置され、更に前記転向軸を連動させて回転させることができ、前記転向軸のうち前記発電動力チャンバから離れている一端には前記転向チャンバの中に位置している転向ギヤが設置され、前記転向チャンバの中には縦方向軸が設置され、前記縦方向軸の外壁には前記転向チャンバの中に位置しており、且つ前記転向ギヤと噛み合っている片方向ギヤが設置され、前記縦方向軸の頂端には前記発電機構を連動させて回転させることができる同方向ベベルギヤが設置され、上下両端の前記片方向ギヤの回転できる方向は逆であり、更に前記駆動ギヤの回転方向が変化する時、前記同方向ベベルギヤの回転方向が変わらないことを保持する。
【０００７】
好ましくは、前記発電機構は前記転向チャンバの中に設置された横向き軸を含み、前記横向き軸の前端には前記同方向ベベルギヤと噛み合っている発電ベベルギヤが設置され、更に前記横向き軸を連動させて回転させることができ、前記横向き軸の後端にはリングギヤが設置され、前記転向チャンバの中には発電軸が設置され、前記発電軸の前端には太陽ギヤが設置され、前記太陽ギヤと前記リングギヤとの間には遊星ギヤが伝動できるように設置され、更に前記発電軸を連動させて高速回転させることができ、前記発電軸の後端には前記発電チャンバの中に位置している口型永久磁石が設置され、前記発電チャンバの中にはコイルが設置され、前記発電チャンバの底壁の中には電気エネルギーを貯蔵できる電池が設置された。
【０００８】
好ましくは、前記駆動装置は前記動力チャンバの中に設置された原動機を含み、前記動力チャンバの中には前記原動機と動力が伝達できるように連結された動力軸が設置され、前記動力軸の頂端には動力ギヤが設置され、前記動力チャンバの中には伝動軸が設置され、前記伝動軸の外壁には前記動力チャンバの中に位置しており、且つ前記動力ギヤと噛み合っている伝動ギヤが設置され、更に前記伝動軸を連動させて回転させることができ、前記伝動軸の頂端には前記屈折装置を連動させて回転させることができる伝動ベベルギヤが設置され、前記伝動軸の外壁には前記切換装置を連動させて回転させることができる主動プーリが設置され、前記伝動軸の外壁には前記スライドチャンバの中に位置しており、且つ前記収納装置を連動させて回転させることができるウォームが設置された。
【０００９】
好ましくは、前記収納装置は前記スライドチャンバの中に左右対称的に設置された延伸軸を含み、前記延伸軸の後端には前記ウォームと噛み合っているウォームホイールが設置され、更に前記延伸軸を連動させて回転させることができ、前記延伸軸の前端には主動ベベルギヤが設置され、前記スライドチャンバの中にはカム軸が左右対称的に設置され、前記カム軸のうち前記伝動軸に近接している一端には前記主動ベベルギヤと噛み合っている従動ベベルギヤが設置され、前記カム軸のうち前記伝動軸から離れている一端には前記ランプと接触して協働することができるカムが設置され、更に前記主動ベベルギヤは前記カム軸と前記カムとにより前記ランプを連動させて下方へスライドさせることができ、前記ランプと前記スライドチャンバの頂壁との間には復帰バネが弾性を持つように設置された。
【００１０】
好ましくは、前記屈折装置は前記従動ベベルギヤに回転できるように設置された反射板を含み、左右両側の前記反射板が協働して前記スライドチャンバを閉鎖でき、前記屈折チャンバの中にはネジロッドが設置され、前記ネジロッドの外壁にはスライドできるスライダが設置され、前記スライダと前記ネジロッドとの間はネジ山により連結され、前記スライダと前記反射板との間はコンロッドを通じてヒンジにより連結され、更に前記反射板を連動させて回転させることができ、前記動力チャンバの中には左右対称の反射軸が設置され、前記反射軸のうち前記動力チャンバに近接している一端には前記動力チャンバの中に位置しており、且つ前記伝動ベベルギヤと噛み合っている屈折ベベルギヤが設置され、前記反射軸と前記ネジロッドとの間は伝動ベルトにより動力伝送を行い、更に前記反射軸は前記伝動ベルトにより前記ネジロッドを連動させて回転させることができる。
【００１１】
好ましくは、前記切換装置は前記動力チャンバの中に設置された伝送軸を含み、前記伝送軸の頂端には前記動力チャンバの中に位置している従動プーリが設置され、前記従動プーリと前記主動プーリとの間には伝送ベルトが伝動できるように設置され、更に前記伝送軸を連動させて回転させることができ、前記切換チャンバの中には従動軸が設置され、前記従動軸の左端が前記ランプ板と固定的に連結され、前記従動軸の右端には前記切換チャンバの中に位置している切換ベベルギヤが設置され、更に前記ランプ板を連動させて回転させることができ、更に当該設備の照明状態を切り換え、前記切換チャンバの中にはスライドできるスプライン軸が設置され、前記スプライン軸と前記伝送軸との間はスプラインにより連結され、前記スプライン軸の底端には前記切換ベベルギヤと噛み合うことができる回転ベベルギヤが設置され、更に前記切換ベベルギヤを連動させて回転させることができ、前記スプライン軸の外壁には回転できる回転ブロックが設置され、前記切換チャンバの頂壁の中には電磁溝が設置され、前記電磁溝の中には前記回転ブロックと固定的に連結された永久磁石がスライドできるように設置され、前記電磁溝の頂壁の中には前記永久磁石を連動させて上下へスライドさせることができる電磁石が設置され、前記電磁石と前記永久磁石との間には電磁バネが弾性を持つように設置された。
【発明の効果】
【００１２】
本発明の有益効果は：本発明は構成が簡単であり、操作しやすく、メンテナンスが便利であり、また当該設備は人が階段を上り下りする時に、階段を踏む動作を利用して電力を生じ、廊下内に回路を敷く必要がなく、廊下内のエネルギーを消費する必要がなく、また当該設備は場合により正常と緊急の照明モードを切り換えることができ、更に廊下内の応急灯の設置コストを下げ、且つ廊下内の照明効果を向上させることができ、そのため、当該設備は高い使用価値と普及する価値を有する。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の運動を利用して発電できる廊下省エネルギー指示灯の全体構成模式図
【図２】図２は図１のＡの構成模式図
【図３】図３は図１のＢの構成模式図
【図４】図４は図３のＣの構成模式図
【図５】図５は図２のＤ―Ｄの構成模式図
【発明を実施するための形態】
【００１５】
本発明は運動を利用して発電できる廊下省エネルギー指示灯に関し、主に廊下内の照明作業に応用され、以下は本発明の付図を交えて本発明について更に説明する。
【００１６】
本発明の運動を利用して発電できる廊下省エネルギー指示灯は、階段に固定されることができるベース１８と、壁に固定されることができるランプベース１１とを含み、前記ベース１８の中にはスライド溝２１が設置され、前記スライド溝２１の中には上下へスライドできるペダル２０が設置され、前記ペダル２０と前記スライド溝２１との間には押圧バネ２２が弾性を持つように設置され、前記スライド溝２１の左右両側の内壁の中には前記スライド溝２１と連通された発電動力チャンバ８０が対称的に設置され、前記発電動力チャンバ８０の上下両側の内壁の中には転向チャンバ２７が対称的に設置され、頂部の前記転向チャンバ２７の後壁の中には発電チャンバ２５が設置され、前記発電チャンバ２５の中には発電機構１０２が設置され、前記発電動力チャンバ８０の中には前記発電機構１０２の回転方向を保持できる転向装置１０１が設置され、更に人が階段を上り下りする運動により電力を生じ、前記ランプベース１１の中にはスライドチャンバ１２が設置され、前記スライドチャンバ１２の中にはスライドできるランプ１７が設置され、前記ランプ１７の中には回転できるランプ板１５が設置され、前記ランプ板１５の底端には正常照明できる照明灯１６が設置され、前記ランプ板１５の頂端には応急照明できる応急灯１４が設置され、前記スライドチャンバ１２の左右両側の内壁の中には対称的な屈折チャンバ５２が設置され、前記屈折チャンバ５２の中には屈折装置１０５が設置され、更に照明範囲を広げることができ、右側の前記屈折チャンバ５２のうち前記スライドチャンバ１２に近接している側の壁内には切換チャンバ７２が設置され、前記切換チャンバ７２の中には当該設備の照明状態を切り換えることができる切換装置１０６が設置され、更に当該設備の作動状態を制御し、前記スライドチャンバ１２の中には前記ランプ１７を収納できる収納装置１０４が設置され、前記スライドチャンバ１２の頂壁の中には動力チャンバ３７が設置され、前記動力チャンバ３７の中には駆動装置１０３が設置され、更に廊下に照明を提供でき、前記ベース１８と前記ペダル２０の外壁にはフロアーランプ１９が設置され、フロアー案内に用いられる。
【００１７】
実施例によると、以下は前記転向装置１０１について詳しく説明し、前記転向装置１０１は前記発電動力チャンバ８０の中に設置された駆動軸７８を含み、前記ペダル２０の左右両側の端壁にはラック７３が対称的に設置され、前記駆動軸７８の後端には前記ラック７３と噛み合っている駆動ギヤ７９が設置され、前記駆動軸７８の前端には駆動ベベルギヤ７７が設置され、前記発電動力チャンバ８０の中には上下対称の転向軸７５が設置され、前記転向軸７５のうち前記発電動力チャンバ８０に近接している一端には前記駆動ベベルギヤ７７と噛み合っている転向ベベルギヤ７６が設置され、更に前記転向軸７５を連動させて回転させることができ、前記転向軸７５のうち前記発電動力チャンバ８０から離れている一端には前記転向チャンバ２７の中に位置している転向ギヤ７４が設置され、前記転向チャンバ２７の中には縦方向軸３５が設置され、前記縦方向軸３５の外壁には前記転向チャンバ２７の中に位置しており、且つ前記転向ギヤ７４と噛み合っている片方向ギヤ３４が設置され、前記縦方向軸３５の頂端には前記発電機構１０２を連動させて回転させることができる同方向ベベルギヤ３３が設置され、上下両端の前記片方向ギヤ３４の回転できる方向は逆であり、更に前記駆動ギヤ７９の回転方向が変化する時、前記同方向ベベルギヤ３３の回転方向が変わらないことを保持する。
【００１８】
実施例によると、以下は前記発電機構１０２について詳しく説明し、前記発電機構１０２は前記転向チャンバ２７の中に設置された横向き軸３１を含み、前記横向き軸３１の前端には前記同方向ベベルギヤ３３と噛み合っている発電ベベルギヤ３２が設置され、更に前記横向き軸３１を連動させて回転させることができ、前記横向き軸３１の後端にはリングギヤ３０が設置され、前記転向チャンバ２７の中には発電軸２６が設置され、前記発電軸２６の前端には太陽ギヤ２９が設置され、前記太陽ギヤ２９と前記リングギヤ３０との間には遊星ギヤ２８が伝動できるように設置され、更に前記発電軸２６を連動させて高速回転させることができ、前記発電軸２６の後端には前記発電チャンバ２５の中に位置している口型永久磁石２４が設置され、前記発電チャンバ２５の中にはコイル２３が設置され、前記発電チャンバ２５の底壁の中には電気エネルギーを貯蔵できる電池９９が設置された。
【００１９】
実施例によると、以下は前記駆動装置１０３について詳しく説明し、前記駆動装置１０３は前記動力チャンバ３７の中に設置された原動機４４を含み、前記動力チャンバ３７の中には前記原動機４４と動力が伝達できるように連結された動力軸４３が設置され、前記動力軸４３の頂端には動力ギヤ４１が設置され、前記動力チャンバ３７の中には伝動軸４５が設置され、前記伝動軸４５の外壁には前記動力チャンバ３７の中に位置しており、且つ前記動力ギヤ４１と噛み合っている伝動ギヤ４２が設置され、更に前記伝動軸４５を連動させて回転させることができ、前記伝動軸４５の頂端には前記屈折装置１０５を連動させて回転させることができる伝動ベベルギヤ３９が設置され、前記伝動軸４５の外壁には前記切換装置１０６を連動させて回転させることができる主動プーリ４０が設置され、前記伝動軸４５の外壁には前記スライドチャンバ１２の中に位置しており、且つ前記収納装置１０４を連動させて回転させることができるウォーム４６が設置された。
【００２０】
実施例によると、以下は前記収納装置１０４について詳しく説明し、前記収納装置１０４は前記スライドチャンバ１２の中に左右対称的に設置された延伸軸４９を含み、前記延伸軸４９の後端には前記ウォーム４６と噛み合っているウォームホイール４７が設置され、更に前記延伸軸４９を連動させて回転させることができ、前記延伸軸４９の前端には主動ベベルギヤ４８が設置され、前記スライドチャンバ１２の中にはカム軸６２が左右対称的に設置され、前記カム軸６２のうち前記伝動軸４５に近接している一端には前記主動ベベルギヤ４８と噛み合っている従動ベベルギヤ５０が設置され、前記カム軸６２のうち前記伝動軸４５から離れている一端には前記ランプ１７と接触して協働することができるカム６１が設置され、更に前記主動ベベルギヤ４８は前記カム軸６２と前記カム６１とにより前記ランプ１７を連動させて下方へスライドさせることができ、前記ランプ１７と前記スライドチャンバ１２の頂壁との間には復帰バネ１３が弾性を持つように設置された。
【００２１】
実施例によると、以下は前記屈折装置１０５について詳しく説明し、前記屈折装置１０５は前記従動ベベルギヤ５０に回転できるように設置された反射板３６を含み、左右両側の前記反射板３６が協働して前記スライドチャンバ１２を閉鎖でき、前記屈折チャンバ５２の中にはネジロッド５５が設置され、前記ネジロッド５５の外壁にはスライドできるスライダ５４が設置され、前記スライダ５４と前記ネジロッド５５との間はネジ山により連結され、前記スライダ５４と前記反射板３６との間はコンロッド５３を通じてヒンジにより連結され、更に前記反射板３６を連動させて回転させることができ、前記動力チャンバ３７の中には左右対称の反射軸６５が設置され、前記反射軸６５のうち前記動力チャンバ３７に近接している一端には前記動力チャンバ３７の中に位置しており、且つ前記伝動ベベルギヤ３９と噛み合っている屈折ベベルギヤ３８が設置され、前記反射軸６５と前記ネジロッド５５との間は伝動ベルト６４により動力伝送を行い、更に前記反射軸６５は前記伝動ベルト６４により前記ネジロッド５５を連動させて回転させることができる。
【００２２】
実施例によると、以下は前記切換装置１０６について詳しく説明し、前記切換装置１０６は前記動力チャンバ３７の中に設置された伝送軸６０を含み、前記伝送軸６０の頂端には前記動力チャンバ３７の中に位置している従動プーリ６３が設置され、前記従動プーリ６３と前記主動プーリ４０との間には伝送ベルト６６が伝動できるように設置され、更に前記伝送軸６０を連動させて回転させることができ、前記切換チャンバ７２の中には従動軸５１が設置され、前記従動軸５１の左端が前記ランプ板１５と固定的に連結され、前記従動軸５１の右端には前記切換チャンバ７２の中に位置している切換ベベルギヤ５７が設置され、更に前記ランプ板１５を連動させて回転させることができ、更に当該設備の照明状態を切り換え、前記切換チャンバ７２の中にはスライドできるスプライン軸５９が設置され、前記スプライン軸５９と前記伝送軸６０との間はスプラインにより連結され、前記スプライン軸５９の底端には前記切換ベベルギヤ５７と噛み合うことができる回転ベベルギヤ５８が設置され、更に前記切換ベベルギヤ５７を連動させて回転させることができ、前記スプライン軸５９の外壁には回転できる回転ブロック７１が設置され、前記切換チャンバ７２の頂壁の中には電磁溝６８が設置され、前記電磁溝６８の中には前記回転ブロック７１と固定的に連結された永久磁石７０がスライドできるように設置され、前記電磁溝６８の頂壁の中には前記永久磁石７０を連動させて上下へスライドさせることができる電磁石６７が設置され、前記電磁石６７と前記永久磁石７０との間には電磁バネ６９が弾性を持つように設置された。
【００２３】
以下は付図を交えて本発明の運動を利用して発電できる廊下省エネルギー指示灯の使用ステップについて詳しく説明する：
【００２４】
初期状態において、左右両側の反射板３６が接触しており、電磁石６７が通電していなく、回転ベベルギヤ５８が切換ベベルギヤ５７との接触から離脱している。
【００２５】
当該設備を使用する時：人が階段を上り下りする時、ペダル２０を踏み、更にペダル２０が上下へスライドし、更にラック７３と、駆動ギヤ７９と、駆動軸７８と、駆動ベベルギヤ７７と、転向軸７５と、転向ギヤ７４と、片方向ギヤ３４と、縦方向軸３５とにより同方向ベベルギヤ３３を連動させて同じ方向へ回転することを保持させ、更に同方向ベベルギヤ３３は発電ベベルギヤ３２と、横向き軸３１と、リングギヤ３０と、遊星ギヤ２８と、太陽ギヤ２９と、発電軸２６とにより口型永久磁石２４を連動させて回転させ、更に口型永久磁石２４とコイル２３とが相対運動をし、コイル２３が磁力線を切って電気エネルギーを生じて電池９９の中に貯蔵する。
【００２６】
照明する時、原動機４４が作動しはじめ、動力軸４３と、動力ギヤ４１と、伝動ギヤ４２と、伝動軸４５とにより主動プーリ４０と、伝動ベベルギヤ３９と、ウォーム４６とを連動させて回転させ、伝動ベベルギヤ３９は屈折ベベルギヤ３８と、反射軸６５と、伝動ベルト６４と、ネジロッド５５とによりスライダ５４を連動させてスライドチャンバ１２に近接している側へスライドさせ、更にコンロッド５３により反射板３６を連動させて回転させ、左右両側の反射板３６が分離し、スライドチャンバ１２を開け、それと同時に、ウォーム４６はウォームホイール４７と、延伸軸４９と、主動ベベルギヤ４８と、従動ベベルギヤ５０と、カム軸６２とによりカム６１を連動させて回転させ、更にカム６１がランプ１７を連動させて下方へスライドさせ、同時に、照明灯１６が発光して廊下を照明する。
【００２７】
緊急事態が起こる時、電磁石６７が通電して永久磁石７０と回転ブロック７１とによりスプライン軸５９を連動させて下方へスライドさせ、更に回転ベベルギヤ５８と切換ベベルギヤ５７とが噛み合い、更に主動プーリ４０は伝送ベルト６６と、従動プーリ６３と、伝送軸６０と、スプライン軸５９と、回転ベベルギヤ５８と、切換ベベルギヤ５７と、従動軸５１とによりランプ板１５を連動させて回転させ、更に照明灯１６と応急灯１４との位置を切り換え、ランプ板１５が百八十度回転する時、電磁石６７の電源が切れ、回転ベベルギヤ５８が切換ベベルギヤ５７との接触から離脱し、応急灯１４が発光して廊下を照明する。
【００２８】
本発明の有益効果は：本発明は構成が簡単であり、操作しやすく、メンテナンスが便利であり、また当該設備は人が階段を上り下りする時に、階段を踏む動作を利用して電力を生じ、廊下内に回路を敷く必要がなく、廊下内のエネルギーを消費する必要がなく、また当該設備は場合により正常と緊急の照明モードを切り換えることができ、更に廊下内の応急灯の設置コストを下げ、且つ廊下内の照明効果を向上させることができ、そのため、当該設備は高い使用価値と普及する価値を有する。
【００２９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020205226.tif 000003
【図２】
2020205226.tif 000004
【図３】
2020205226.tif 000005
【図４】
2020205226.tif 000006
【図５】
2020205226.tif 000007
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
正面視で、階段に固定されることができるベースと、壁に固定されることができるランプベースとを含み、前記ベースの中にはスライド溝が設置され、前記スライド溝の中には上下へスライドできるペダルが設置され、前記ペダルと前記スライド溝との間には押圧バネが弾性を持つように設置され、前記スライド溝の左右両側の内壁の中には前記スライド溝と連通された発電動力チャンバが対称的に設置され、前記発電動力チャンバの上下両側の内壁の中には転向チャンバが対称的に設置され、頂部の前記転向チャンバの後壁の中には発電チャンバが設置され、前記発電チャンバの中には発電機構が設置され、前記発電動力チャンバの中には前記発電機構の回転方向を保持できる転向装置が設置され、更に人が階段を上り下りする運動により電力を生じ、前記ランプベースの中にはスライドチャンバが設置され、前記スライドチャンバの中にはスライドできるランプが設置され、前記ランプの中には回転できるランプ板が設置され、前記ランプ板の底端には正常照明できる照明灯が設置され、前記ランプ板の頂端には応急照明できる応急灯が設置され、前記スライドチャンバの左右両側の内壁の中には対称的な屈折チャンバが設置され、前記屈折チャンバの中には屈折装置が設置され、更に照明範囲を広げることができ、右側の前記屈折チャンバのうち前記スライドチャンバに近接している側の壁内には切換チャンバが設置され、前記切換チャンバの中には当該設備の照明状態を切り換えることができる切換装置が設置され、更に当該設備の作動状態を制御し、前記スライドチャンバの中には前記ランプを収納できる収納装置が設置され、前記スライドチャンバの頂壁の中には動力チャンバが設置され、前記動力チャンバの中には駆動装置が設置され、更に廊下に照明を提供でき、前記ベースと前記ペダルの外壁にはフロアーランプが設置されたことを特徴とする運動を利用して発電できる廊下省エネルギー指示灯。
【請求項２】
前記転向装置は前記発電動力チャンバの中に設置された駆動軸を含み、前記ペダルの左右両側の端壁にはラックが対称的に設置され、前記駆動軸の後端には前記ラックと噛み合っている駆動ギヤが設置され、前記駆動軸の前端には駆動ベベルギヤが設置され、前記発電動力チャンバの中には上下対称の転向軸が設置され、前記転向軸のうち前記発電動力チャンバに近接している一端には前記駆動ベベルギヤと噛み合っている転向ベベルギヤが設置され、更に前記転向軸を連動させて回転させることができ、前記転向軸のうち前記発電動力チャンバから離れている一端には前記転向チャンバの中に位置している転向ギヤが設置され、前記転向チャンバの中には縦方向軸が設置され、前記縦方向軸の外壁には前記転向チャンバの中に位置しており、且つ前記転向ギヤと噛み合っている片方向ギヤが設置され、前記縦方向軸の頂端には前記発電機構を連動させて回転させることができる同方向ベベルギヤが設置され、上下両端の前記片方向ギヤの回転できる方向は逆であることを特徴とする請求項１に記載の運動を利用して発電できる廊下省エネルギー指示灯。
【請求項３】
前記発電機構は前記転向チャンバの中に設置された横向き軸を含み、前記横向き軸の前端には前記同方向ベベルギヤと噛み合っている発電ベベルギヤが設置され、更に前記横向き軸を連動させて回転させることができ、前記横向き軸の後端にはリングギヤが設置され、前記転向チャンバの中には発電軸が設置され、前記発電軸の前端には太陽ギヤが設置され、前記太陽ギヤと前記リングギヤとの間には遊星ギヤが伝動できるように設置され、更に前記発電軸を連動させて高速回転させることができ、前記発電軸の後端には前記発電チャンバの中に位置している口型永久磁石が設置され、前記発電チャンバの中にはコイルが設置され、前記発電チャンバの底壁の中には電気エネルギーを貯蔵できる電池が設置されたことを特徴とする請求項１に記載の運動を利用して発電できる廊下省エネルギー指示灯。
【請求項４】
前記駆動装置は前記動力チャンバの中に設置された原動機を含み、前記動力チャンバの中には前記原動機と動力が伝達できるように連結された動力軸が設置され、前記動力軸の頂端には動力ギヤが設置され、前記動力チャンバの中には伝動軸が設置され、前記伝動軸の外壁には前記動力チャンバの中に位置しており、且つ前記動力ギヤと噛み合っている伝動ギヤが設置され、更に前記伝動軸を連動させて回転させることができ、前記伝動軸の頂端には前記屈折装置を連動させて回転させることができる伝動ベベルギヤが設置され、前記伝動軸の外壁には前記切換装置を連動させて回転させることができる主動プーリが設置され、前記伝動軸の外壁には前記スライドチャンバの中に位置しており、且つ前記収納装置を連動させて回転させることができるウォームが設置されたことを特徴とする請求項１に記載の運動を利用して発電できる廊下省エネルギー指示灯。
【請求項５】
前記収納装置は前記スライドチャンバの中に左右対称的に設置された延伸軸を含み、前記延伸軸の後端には前記ウォームと噛み合っているウォームホイールが設置され、更に前記延伸軸を連動させて回転させることができ、前記延伸軸の前端には主動ベベルギヤが設置され、前記スライドチャンバの中にはカム軸が左右対称的に設置され、前記カム軸のうち前記伝動軸に近接している一端には前記主動ベベルギヤと噛み合っている従動ベベルギヤが設置され、前記カム軸のうち前記伝動軸から離れている一端には前記ランプと接触して協働することができるカムが設置され、更に前記主動ベベルギヤは前記カム軸と前記カムとにより前記ランプを連動させて下方へスライドさせることができ、前記ランプと前記スライドチャンバの頂壁との間には復帰バネが弾性を持つように設置されたことを特徴とする請求項１に記載の運動を利用して発電できる廊下省エネルギー指示灯。
【請求項６】
前記屈折装置は前記スライドチャンバに回転できるように設置された反射板を含み、左右両側の前記反射板が協働して前記スライドチャンバを閉鎖でき、前記屈折チャンバの中にはネジロッドが設置され、前記ネジロッドの外壁にはスライドできるスライダが設置され、前記スライダと前記ネジロッドとの間はネジ山により連結され、前記スライダと前記反射板との間はコンロッドを通じてヒンジにより連結され、更に前記反射板を連動させて回転させることができ、前記動力チャンバの中には左右対称の反射軸が設置され、前記反射軸のうち前記動力チャンバに近接している一端には前記動力チャンバの中に位置しており、且つ前記伝動ベベルギヤと噛み合っている屈折ベベルギヤが設置され、前記反射軸と前記ネジロッドとの間は伝動ベルトにより動力伝送を行うことを特徴とする請求項１に記載の運動を利用して発電できる廊下省エネルギー指示灯。
【請求項７】
前記切換装置は前記動力チャンバの中に設置された伝送軸を含み、前記伝送軸の頂端には前記動力チャンバの中に位置している従動プーリが設置され、前記従動プーリと前記主動プーリとの間には伝送ベルトが伝動できるように設置され、更に前記伝送軸を連動させて回転させることができ、前記切換チャンバの中には従動軸が設置され、前記従動軸の左端が前記ランプ板と固定的に連結され、前記従動軸の右端には前記切換チャンバの中に位置している切換ベベルギヤが設置され、更に前記ランプ板を連動させて回転させることができ、更に当該設備の照明状態を切り換え、前記切換チャンバの中にはスライドできるスプライン軸が設置され、前記スプライン軸と前記伝送軸との間はスプラインにより連結され、前記スプライン軸の底端には前記切換ベベルギヤと噛み合うことができる回転ベベルギヤが設置され、更に前記切換ベベルギヤを連動させて回転させることができ、前記スプライン軸の外壁には回転できる回転ブロックが設置され、前記切換チャンバの頂壁の中には電磁溝が設置され、前記電磁溝の中には前記回転ブロックと固定的に連結された永久磁石がスライドできるように設置され、前記電磁溝の頂壁の中には前記永久磁石を連動させて上下へスライドさせることができる電磁石が設置され、前記電磁石と前記永久磁石との間には電磁バネが弾性を持つように設置されたことを特徴とする請求項１に記載の運動を利用して発電できる廊下省エネルギー指示灯。
【手続補正２】
【補正対象書類名】明細書
【補正対象項目名】全文
【補正方法】変更
【補正の内容】
【発明の詳細な説明】
【技術分野】
【０００１】
本発明は省エネルギー照明分野を取り上げて、具体的には運動を利用して発電できる廊下省エネルギー指示灯である。
【背景技術】
【０００２】
廊下指示灯が廊下に装着された照明灯具であり、廊下に照明を提供でき、しかし、現有の廊下指示灯は照明時間を制御することだけによりエネルギー消費を減らし、また依然として廊下の電力により支持される必要があり、しかも廊下指示灯を装着する時、照明回路を単独に設置する必要があり、設置過程が複雑であり、設置コストが比較的に高く、また、従来の廊下指示灯は機能が単一であり、緊急事態が起こる時、独立した廊下指示灯を装着して照明する必要があり、且つ照明効果が悪く、そのため、本発明は回路を単独に設置する必要がない廊下省エネルギー指示灯を設計することを目的とする。
【先行技術文献】
【特許文献】
【０００３】
【特許文献１】中国特許出願公開第１０２６００５７５号明細書
【発明の概要】
【発明が解決しようとする課題】
【０００４】
技術問題：従来の廊下指示灯は正常状況と緊急状況では、二つの回路を単独に設置する必要があり、設置コストが比較的に高く、且つ照明過程において、廊下の電力により支持される必要があり、エネルギー消費が高い。
【課題を解決するための手段】
【０００５】
上記の問題を解決するために、本発明は運動を利用して発電できる廊下省エネルギー指示灯を設計し、本発明の運動を利用して発電できる廊下省エネルギー指示灯は、階段に固定されることができるベースと、壁に固定されることができるランプベースとを含み、前記ベースの中にはスライド溝が設置され、前記スライド溝の中には上下へスライドできるペダルが設置され、前記ペダルと前記スライド溝との間には押圧バネが弾性を持つように設置され、前記スライド溝の左右両側の内壁の中には前記スライド溝と連通された発電動力チャンバが対称的に設置され、前記発電動力チャンバの上下両側の内壁の中には転向チャンバが対称的に設置され、頂部の前記転向チャンバの後壁の中には発電チャンバが設置され、前記発電チャンバの中には発電機構が設置され、前記発電動力チャンバの中には前記発電機構の回転方向を保持できる転向装置が設置され、更に人が階段を上り下りする運動により電力を生じ、前記ランプベースの中にはスライドチャンバが設置され、前記スライドチャンバの中にはスライドできるランプが設置され、前記ランプの中には回転できるランプ板が設置され、前記ランプ板の底端には正常照明できる照明灯が設置され、前記ランプ板の頂端には応急照明できる応急灯が設置され、前記スライドチャンバの左右両側の内壁の中には対称的な屈折チャンバが設置され、前記屈折チャンバの中には屈折装置が設置され、更に照明範囲を広げることができ、右側の前記屈折チャンバのうち前記スライドチャンバに近接している側の壁内には切換チャンバが設置され、前記切換チャンバの中には当該設備の照明状態を切り換えることができる切換装置が設置され、更に当該設備の作動状態を制御し、前記スライドチャンバの中には前記ランプを収納できる収納装置が設置され、前記スライドチャンバの頂壁の中には動力チャンバが設置され、前記動力チャンバの中には駆動装置が設置され、更に廊下に照明を提供でき、前記ベースと前記ペダルの外壁にはフロアーランプが設置され、フロアー案内に用いられる。
【０００６】
好ましくは、前記転向装置は前記発電動力チャンバの中に設置された駆動軸を含み、前記ペダルの左右両側の端壁にはラックが対称的に設置され、前記駆動軸の後端には前記ラックと噛み合っている駆動ギヤが設置され、前記駆動軸の前端には駆動ベベルギヤが設置され、前記発電動力チャンバの中には上下対称の転向軸が設置され、前記転向軸のうち前記発電動力チャンバに近接している一端には前記駆動ベベルギヤと噛み合っている転向ベベルギヤが設置され、更に前記転向軸を連動させて回転させることができ、前記転向軸のうち前記発電動力チャンバから離れている一端には前記転向チャンバの中に位置している転向ギヤが設置され、前記転向チャンバの中には縦方向軸が設置され、前記縦方向軸の外壁には前記転向チャンバの中に位置しており、且つ前記転向ギヤと噛み合っている片方向ギヤが設置され、前記縦方向軸の頂端には前記発電機構を連動させて回転させることができる同方向ベベルギヤが設置され、上下両端の前記片方向ギヤの回転できる方向は逆であり、更に前記駆動ギヤの回転方向が変化する時、前記同方向ベベルギヤの回転方向が変わらないことを保持する。
【０００７】
好ましくは、前記発電機構は前記転向チャンバの中に設置された横向き軸を含み、前記横向き軸の前端には前記同方向ベベルギヤと噛み合っている発電ベベルギヤが設置され、更に前記横向き軸を連動させて回転させることができ、前記横向き軸の後端にはリングギヤが設置され、前記転向チャンバの中には発電軸が設置され、前記発電軸の前端には太陽ギヤが設置され、前記太陽ギヤと前記リングギヤとの間には遊星ギヤが伝動できるように設置され、更に前記発電軸を連動させて高速回転させることができ、前記発電軸の後端には前記発電チャンバの中に位置している口型永久磁石が設置され、前記発電チャンバの中にはコイルが設置され、前記発電チャンバの底壁の中には電気エネルギーを貯蔵できる電池が設置された。
【０００８】
好ましくは、前記駆動装置は前記動力チャンバの中に設置された原動機を含み、前記動力チャンバの中には前記原動機と動力が伝達できるように連結された動力軸が設置され、前記動力軸の頂端には動力ギヤが設置され、前記動力チャンバの中には伝動軸が設置され、前記伝動軸の外壁には前記動力チャンバの中に位置しており、且つ前記動力ギヤと噛み合っている伝動ギヤが設置され、更に前記伝動軸を連動させて回転させることができ、前記伝動軸の頂端には前記屈折装置を連動させて回転させることができる伝動ベベルギヤが設置され、前記伝動軸の外壁には前記切換装置を連動させて回転させることができる主動プーリが設置され、前記伝動軸の外壁には前記スライドチャンバの中に位置しており、且つ前記収納装置を連動させて回転させることができるウォームが設置された。
【０００９】
好ましくは、前記収納装置は前記スライドチャンバの中に左右対称的に設置された延伸軸を含み、前記延伸軸の後端には前記ウォームと噛み合っているウォームホイールが設置され、更に前記延伸軸を連動させて回転させることができ、前記延伸軸の前端には主動ベベルギヤが設置され、前記スライドチャンバの中にはカム軸が左右対称的に設置され、前記カム軸のうち前記伝動軸に近接している一端には前記主動ベベルギヤと噛み合っている従動ベベルギヤが設置され、前記カム軸のうち前記伝動軸から離れている一端には前記ランプと接触して協働することができるカムが設置され、更に前記主動ベベルギヤは前記カム軸と前記カムとにより前記ランプを連動させて下方へスライドさせることができ、前記ランプと前記スライドチャンバの頂壁との間には復帰バネが弾性を持つように設置された。
【００１０】
好ましくは、前記屈折装置は前記スライドチャンバに回転できるように設置された反射板を含み、左右両側の前記反射板が協働して前記スライドチャンバを閉鎖でき、前記屈折チャンバの中にはネジロッドが設置され、前記ネジロッドの外壁にはスライドできるスライダが設置され、前記スライダと前記ネジロッドとの間はネジ山により連結され、前記スライダと前記反射板との間はコンロッドを通じてヒンジにより連結され、更に前記反射板を連動させて回転させることができ、前記動力チャンバの中には左右対称の反射軸が設置され、前記反射軸のうち前記動力チャンバに近接している一端には前記動力チャンバの中に位置しており、且つ前記伝動ベベルギヤと噛み合っている屈折ベベルギヤが設置され、前記反射軸と前記ネジロッドとの間は伝動ベルトにより動力伝送を行い、更に前記反射軸は前記伝動ベルトにより前記ネジロッドを連動させて回転させることができる。
【００１１】
好ましくは、前記切換装置は前記動力チャンバの中に設置された伝送軸を含み、前記伝送軸の頂端には前記動力チャンバの中に位置している従動プーリが設置され、前記従動プーリと前記主動プーリとの間には伝送ベルトが伝動できるように設置され、更に前記伝送軸を連動させて回転させることができ、前記切換チャンバの中には従動軸が設置され、前記従動軸の左端が前記ランプ板と固定的に連結され、前記従動軸の右端には前記切換チャンバの中に位置している切換ベベルギヤが設置され、更に前記ランプ板を連動させて回転させることができ、更に当該設備の照明状態を切り換え、前記切換チャンバの中にはスライドできるスプライン軸が設置され、前記スプライン軸と前記伝送軸との間はスプラインにより連結され、前記スプライン軸の底端には前記切換ベベルギヤと噛み合うことができる回転ベベルギヤが設置され、更に前記切換ベベルギヤを連動させて回転させることができ、前記スプライン軸の外壁には回転できる回転ブロックが設置され、前記切換チャンバの頂壁の中には電磁溝が設置され、前記電磁溝の中には前記回転ブロックと固定的に連結された永久磁石がスライドできるように設置され、前記電磁溝の頂壁の中には前記永久磁石を連動させて上下へスライドさせることができる電磁石が設置され、前記電磁石と前記永久磁石との間には電磁バネが弾性を持つように設置された。
【発明の効果】
【００１２】
本発明の有益効果は：本発明は構成が簡単であり、操作しやすく、メンテナンスが便利であり、また当該設備は人が階段を上り下りする時に、階段を踏む動作を利用して電力を生じ、廊下内に回路を敷く必要がなく、廊下内のエネルギーを消費する必要がなく、また当該設備は場合により正常と緊急の照明モードを切り換えることができ、更に廊下内の応急灯の設置コストを下げ、且つ廊下内の照明効果を向上させることができ、そのため、当該設備は高い使用価値と普及する価値を有する。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の運動を利用して発電できる廊下省エネルギー指示灯の全体構成模式図
【図２】図２は図１のＡの構成模式図
【図３】図３は図１のＢの構成模式図
【図４】図４は図３のＣの構成模式図
【図５】図５は図２のＤ―Ｄの構成模式図
【発明を実施するための形態】
【００１５】
本発明は運動を利用して発電できる廊下省エネルギー指示灯に関し、主に廊下内の照明作業に応用され、以下は本発明の付図を交えて本発明について更に説明する。
【００１６】
本発明の運動を利用して発電できる廊下省エネルギー指示灯は、階段に固定されることができるベース１８と、壁に固定されることができるランプベース１１とを含み、前記ベース１８の中にはスライド溝２１が設置され、前記スライド溝２１の中には上下へスライドできるペダル２０が設置され、前記ペダル２０と前記スライド溝２１との間には押圧バネ２２が弾性を持つように設置され、前記スライド溝２１の左右両側の内壁の中には前記スライド溝２１と連通された発電動力チャンバ８０が対称的に設置され、前記発電動力チャンバ８０の上下両側の内壁の中には転向チャンバ２７が対称的に設置され、頂部の前記転向チャンバ２７の後壁の中には発電チャンバ２５が設置され、前記発電チャンバ２５の中には発電機構１０２が設置され、前記発電動力チャンバ８０の中には前記発電機構１０２の回転方向を保持できる転向装置１０１が設置され、更に人が階段を上り下りする運動により電力を生じ、前記ランプベース１１の中にはスライドチャンバ１２が設置され、前記スライドチャンバ１２の中にはスライドできるランプ１７が設置され、前記ランプ１７の中には回転できるランプ板１５が設置され、前記ランプ板１５の底端には正常照明できる照明灯１６が設置され、前記ランプ板１５の頂端には応急照明できる応急灯１４が設置され、前記スライドチャンバ１２の左右両側の内壁の中には対称的な屈折チャンバ５２が設置され、前記屈折チャンバ５２の中には屈折装置１０５が設置され、更に照明範囲を広げることができ、右側の前記屈折チャンバ５２のうち前記スライドチャンバ１２に近接している側の壁内には切換チャンバ７２が設置され、前記切換チャンバ７２の中には当該設備の照明状態を切り換えることができる切換装置１０６が設置され、更に当該設備の作動状態を制御し、前記スライドチャンバ１２の中には前記ランプ１７を収納できる収納装置１０４が設置され、前記スライドチャンバ１２の頂壁の中には動力チャンバ３７が設置され、前記動力チャンバ３７の中には駆動装置１０３が設置され、更に廊下に照明を提供でき、前記ベース１８と前記ペダル２０の外壁にはフロアーランプ１９が設置され、フロアー案内に用いられる。
【００１７】
実施例によると、以下は前記転向装置１０１について詳しく説明し、前記転向装置１０１は前記発電動力チャンバ８０の中に設置された駆動軸７８を含み、前記ペダル２０の左右両側の端壁にはラック７３が対称的に設置され、前記駆動軸７８の後端には前記ラック７３と噛み合っている駆動ギヤ７９が設置され、前記駆動軸７８の前端には駆動ベベルギヤ７７が設置され、前記発電動力チャンバ８０の中には上下対称の転向軸７５が設置され、前記転向軸７５のうち前記発電動力チャンバ８０に近接している一端には前記駆動ベベルギヤ７７と噛み合っている転向ベベルギヤ７６が設置され、更に前記転向軸７５を連動させて回転させることができ、前記転向軸７５のうち前記発電動力チャンバ８０から離れている一端には前記転向チャンバ２７の中に位置している転向ギヤ７４が設置され、前記転向チャンバ２７の中には縦方向軸３５が設置され、前記縦方向軸３５の外壁には前記転向チャンバ２７の中に位置しており、且つ前記転向ギヤ７４と噛み合っている片方向ギヤ３４が設置され、前記縦方向軸３５の頂端には前記発電機構１０２を連動させて回転させることができる同方向ベベルギヤ３３が設置され、上下両端の前記片方向ギヤ３４の回転できる方向は逆であり、更に前記駆動ギヤ７９の回転方向が変化する時、前記同方向ベベルギヤ３３の回転方向が変わらないことを保持する。
【００１８】
実施例によると、以下は前記発電機構１０２について詳しく説明し、前記発電機構１０２は前記転向チャンバ２７の中に設置された横向き軸３１を含み、前記横向き軸３１の前端には前記同方向ベベルギヤ３３と噛み合っている発電ベベルギヤ３２が設置され、更に前記横向き軸３１を連動させて回転させることができ、前記横向き軸３１の後端にはリングギヤ３０が設置され、前記転向チャンバ２７の中には発電軸２６が設置され、前記発電軸２６の前端には太陽ギヤ２９が設置され、前記太陽ギヤ２９と前記リングギヤ３０との間には遊星ギヤ２８が伝動できるように設置され、更に前記発電軸２６を連動させて高速回転させることができ、前記発電軸２６の後端には前記発電チャンバ２５の中に位置している口型永久磁石２４が設置され、前記発電チャンバ２５の中にはコイル２３が設置され、前記発電チャンバ２５の底壁の中には電気エネルギーを貯蔵できる電池９９が設置された。
【００１９】
実施例によると、以下は前記駆動装置１０３について詳しく説明し、前記駆動装置１０３は前記動力チャンバ３７の中に設置された原動機４４を含み、前記動力チャンバ３７の中には前記原動機４４と動力が伝達できるように連結された動力軸４３が設置され、前記動力軸４３の頂端には動力ギヤ４１が設置され、前記動力チャンバ３７の中には伝動軸４５が設置され、前記伝動軸４５の外壁には前記動力チャンバ３７の中に位置しており、且つ前記動力ギヤ４１と噛み合っている伝動ギヤ４２が設置され、更に前記伝動軸４５を連動させて回転させることができ、前記伝動軸４５の頂端には前記屈折装置１０５を連動させて回転させることができる伝動ベベルギヤ３９が設置され、前記伝動軸４５の外壁には前記切換装置１０６を連動させて回転させることができる主動プーリ４０が設置され、前記伝動軸４５の外壁には前記スライドチャンバ１２の中に位置しており、且つ前記収納装置１０４を連動させて回転させることができるウォーム４６が設置された。
【００２０】
実施例によると、以下は前記収納装置１０４について詳しく説明し、前記収納装置１０４は前記スライドチャンバ１２の中に左右対称的に設置された延伸軸４９を含み、前記延伸軸４９の後端には前記ウォーム４６と噛み合っているウォームホイール４７が設置され、更に前記延伸軸４９を連動させて回転させることができ、前記延伸軸４９の前端には主動ベベルギヤ４８が設置され、前記スライドチャンバ１２の中にはカム軸６２が左右対称的に設置され、前記カム軸６２のうち前記伝動軸４５に近接している一端には前記主動ベベルギヤ４８と噛み合っている従動ベベルギヤ５０が設置され、前記カム軸６２のうち前記伝動軸４５から離れている一端には前記ランプ１７と接触して協働することができるカム６１が設置され、更に前記主動ベベルギヤ４８は前記カム軸６２と前記カム６１とにより前記ランプ１７を連動させて下方へスライドさせることができ、前記ランプ１７と前記スライドチャンバ１２の頂壁との間には復帰バネ１３が弾性を持つように設置された。
【００２１】
実施例によると、以下は前記屈折装置１０５について詳しく説明し、前記屈折装置１０５は前記スライドチャンバ１２に回転できるように設置された反射板３６を含み、左右両側の前記反射板３６が協働して前記スライドチャンバ１２を閉鎖でき、前記屈折チャンバ５２の中にはネジロッド５５が設置され、前記ネジロッド５５の外壁にはスライドできるスライダ５４が設置され、前記スライダ５４と前記ネジロッド５５との間はネジ山により連結され、前記スライダ５４と前記反射板３６との間はコンロッド５３を通じてヒンジにより連結され、更に前記反射板３６を連動させて回転させることができ、前記動力チャンバ３７の中には左右対称の反射軸６５が設置され、前記反射軸６５のうち前記動力チャンバ３７に近接している一端には前記動力チャンバ３７の中に位置しており、且つ前記伝動ベベルギヤ３９と噛み合っている屈折ベベルギヤ３８が設置され、前記反射軸６５と前記ネジロッド５５との間は伝動ベルト６４により動力伝送を行い、更に前記反射軸６５は前記伝動ベルト６４により前記ネジロッド５５を連動させて回転させることができる。
【００２２】
実施例によると、以下は前記切換装置１０６について詳しく説明し、前記切換装置１０６は前記動力チャンバ３７の中に設置された伝送軸６０を含み、前記伝送軸６０の頂端には前記動力チャンバ３７の中に位置している従動プーリ６３が設置され、前記従動プーリ６３と前記主動プーリ４０との間には伝送ベルト６６が伝動できるように設置され、更に前記伝送軸６０を連動させて回転させることができ、前記切換チャンバ７２の中には従動軸５１が設置され、前記従動軸５１の左端が前記ランプ板１５と固定的に連結され、前記従動軸５１の右端には前記切換チャンバ７２の中に位置している切換ベベルギヤ５７が設置され、更に前記ランプ板１５を連動させて回転させることができ、更に当該設備の照明状態を切り換え、前記切換チャンバ７２の中にはスライドできるスプライン軸５９が設置され、前記スプライン軸５９と前記伝送軸６０との間はスプラインにより連結され、前記スプライン軸５９の底端には前記切換ベベルギヤ５７と噛み合うことができる回転ベベルギヤ５８が設置され、更に前記切換ベベルギヤ５７を連動させて回転させることができ、前記スプライン軸５９の外壁には回転できる回転ブロック７１が設置され、前記切換チャンバ７２の頂壁の中には電磁溝６８が設置され、前記電磁溝６８の中には前記回転ブロック７１と固定的に連結された永久磁石７０がスライドできるように設置され、前記電磁溝６８の頂壁の中には前記永久磁石７０を連動させて上下へスライドさせることができる電磁石６７が設置され、前記電磁石６７と前記永久磁石７０との間には電磁バネ６９が弾性を持つように設置された。
【００２３】
以下は付図を交えて本発明の運動を利用して発電できる廊下省エネルギー指示灯の使用ステップについて詳しく説明する：
【００２４】
初期状態において、左右両側の反射板３６が接触しており、電磁石６７が通電していなく、回転ベベルギヤ５８が切換ベベルギヤ５７との接触から離脱している。
【００２５】
当該設備を使用する時：人が階段を上り下りする時、ペダル２０を踏み、更にペダル２０が上下へスライドし、更にラック７３と、駆動ギヤ７９と、駆動軸７８と、駆動ベベルギヤ７７と、転向軸７５と、転向ギヤ７４と、片方向ギヤ３４と、縦方向軸３５とにより同方向ベベルギヤ３３を連動させて同じ方向へ回転することを保持させ、更に同方向ベベルギヤ３３は発電ベベルギヤ３２と、横向き軸３１と、リングギヤ３０と、遊星ギヤ２８と、太陽ギヤ２９と、発電軸２６とにより口型永久磁石２４を連動させて回転させ、更に口型永久磁石２４とコイル２３とが相対運動をし、コイル２３が磁力線を切って電気エネルギーを生じて電池９９の中に貯蔵する。
【００２６】
照明する時、原動機４４が作動しはじめ、動力軸４３と、動力ギヤ４１と、伝動ギヤ４２と、伝動軸４５とにより主動プーリ４０と、伝動ベベルギヤ３９と、ウォーム４６とを連動させて回転させ、伝動ベベルギヤ３９は屈折ベベルギヤ３８と、反射軸６５と、伝動ベルト６４と、ネジロッド５５とによりスライダ５４を連動させてスライドチャンバ１２に近接している側へスライドさせ、更にコンロッド５３により反射板３６を連動させて回転させ、左右両側の反射板３６が分離し、スライドチャンバ１２を開け、それと同時に、ウォーム４６はウォームホイール４７と、延伸軸４９と、主動ベベルギヤ４８と、従動ベベルギヤ５０と、カム軸６２とによりカム６１を連動させて回転させ、更にカム６１がランプ１７を連動させて下方へスライドさせ、同時に、照明灯１６が発光して廊下を照明する。
【００２７】
緊急事態が起こる時、電磁石６７が通電して永久磁石７０と回転ブロック７１とによりスプライン軸５９を連動させて下方へスライドさせ、更に回転ベベルギヤ５８と切換ベベルギヤ５７とが噛み合い、更に主動プーリ４０は伝送ベルト６６と、従動プーリ６３と、伝送軸６０と、スプライン軸５９と、回転ベベルギヤ５８と、切換ベベルギヤ５７と、従動軸５１とによりランプ板１５を連動させて回転させ、更に照明灯１６と応急灯１４との位置を切り換え、ランプ板１５が百八十度回転する時、電磁石６７の電源が切れ、回転ベベルギヤ５８が切換ベベルギヤ５７との接触から離脱し、応急灯１４が発光して廊下を照明する。
【００２８】
本発明の有益効果は：本発明は構成が簡単であり、操作しやすく、メンテナンスが便利であり、また当該設備は人が階段を上り下りする時に、階段を踏む動作を利用して電力を生じ、廊下内に回路を敷く必要がなく、廊下内のエネルギーを消費する必要がなく、また当該設備は場合により正常と緊急の照明モードを切り換えることができ、更に廊下内の応急灯の設置コストを下げ、且つ廊下内の照明効果を向上させることができ、そのため、当該設備は高い使用価値と普及する価値を有する。
【００２９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。